(57)【要約】【課題】  洗面化粧台において、排水流入時にオーバーフロー装置内の空気を排除することで、円滑な排水を行えるようにする。【解決手段】    底部に排水口を有し側部にオーバーフロー孔を有する洗面ボールと、前記排水口に接続される排水管と、前記排水管と前記オーバーフロー孔を接続する導水部と、を有する洗面化粧台であって、前記導水部は排水流路より前記洗面ボール側に溜まる空気を排除できる空気排除部を有することを特徴とする洗面化粧台であり、導水部内の空気を排除することで、円滑な排水が行え、排水能力が向上する。【選択図】  図４
2005282103.tif 000002
【特許請求の範囲】
【請求項１】
底部に排水口を有し側部にオーバーフロー孔を有する洗面ボールと、前記排水口に接続される排水管と、前記排水管と前記オーバーフロー孔を接続する導水部と、を有する洗面化粧台であって、前記導水部は排水流路より前記洗面ボール側に溜まる空気を排除できる空気排除部を有することを特徴とする洗面化粧台。
【請求項２】
前記空気排除部は、前記導水部の側面前方に設けられたことを特徴とする第１項記載の洗面化粧台。
【請求項３】
前記空気排除部は、通気孔と、前記通気孔に連通するように設けられた通気管と、を備えることを特徴とする第１項乃至第２項いずれかに記載の洗面化粧台。
【請求項４】
前記通気孔は、前記導水部の上下方向に縦長な形状であることを特徴とする第３項記載の洗面化粧台。
【請求項５】
前記通気管は、大気開放側が複数に分かれていることを特徴とする第３項乃至第４項いずれかに記載の洗面化粧台。
【発明の詳細な説明】
【技術分野】
【０００１】
本発明は、洗面化粧台に関し、詳しくは、オーバーフロー装置を備えたものに関する。
【背景技術】
【０００２】
従来の洗面化粧台は、洗面ボールの満水時に、さらに洗面ボールに給水が行われた場合に、洗面ボールから水が溢れることがないように、図１２に示すようなオーバーフロー装置が備わっている。従来のオーバーフロー装置は、洗面ボール２２の内側壁に開口したオーバーフロー孔２３と、洗面ボール２２の底面に設けられた排水口２４と、排水口２４に接続された排水管２５と、オーバーフロー孔２３と排水管２５を接続する導水部２１と、を有していた。それによれば、洗面ボール２２の排水口２４に図示せぬ排水栓を着脱自在に設置しておいて、使用者の都合により排水栓で排水口２４を塞いで、洗面ボール２２に水を溜めて使用することができる。ここで、洗面ボール２２の水面がオーバーフロー孔２３の下縁を超えた場合、水はオーバーフロー孔２３から導水部２１を介して、排水管２５に排水される。そして、排水管２５を通じて、トラップ部２６へとさらに排水される。
【０００３】
このとき、オーバーフロー装置が十分な排水能力を確保する条件の一つに、排水が導水部２１へ円滑に流入することがある。そもそも、洗面化粧台において、排水能力の低下は、洗面ボールの上縁から水が溢れ出て、洗面所やその周辺の床面を濡らすといった損害につながるため、非常に深刻な問題である。そこで、排水が導水部２１へ円滑に流入するためには、導水部２１内を大気開放し、導水部２１内が加圧されないようにする必要がある。
【０００４】
ここで、排水が少量の場合は、排水がオーバーフロー孔２３全体を塞いで導水部２１へ流入することがないため、導水部２１内を大気圧に保つことができ、導水部１への良好な流れ込みを確保していた。そして、使用者は洗面ボールから水が溢れ出す心配をせずに、安心して洗顔や洗髪等の行為を行えていた。
一方、排水が多量になると、オーバーフロー孔２３全体が塞がれ、導水部２１が密閉されるため、導水部１内は大気圧以上に加圧される。その結果、オーバーフロー孔２３から導水部１への排水の流れ込みが次第に悪化し、排水能力が低下するという問題が生じていた。特に昨今においてはデザイン性を重視し、オーバーフロー孔２３は、目立たぬよう小さく設けられているため、排水がオーバーフロー孔２３全体を塞ぎやすくなっていた。その結果、導水部２１内は加圧され、排水が流入しづらい構造となっていた。この詳細を以下に図１３を参照して説明する。
【０００５】
図１３は、図１２に示したオーバーフロー孔２３と、オーバーフロー孔２３から連接する導水部２１の側面から見た断面図であり、特に、多量の排水Ｗが導水部２１へ流入する部分を示している。排水Ｗは、オーバーフロー孔２３全体を塞いで、勢いよく導水部１に流入するが、導水部後壁２１ｂで塞き止められたのち、図示しない排水管に向って流出する。このとき、導水部２１内の空気は、排水流路２７によって、上部空気２８ａと下部空気２８ｂに分かれて封入され、導水部２１内は大気圧以上に加圧された状態となっている。（これ以後、下部空気といえば、図１３中の下部空気２８ｂの位置に溜まった空気を指すこととする）。そこで、オーバーフロー孔２３が塞がれても、導水部２１内が加圧されない構造が必要とされ、従来技術では、導水部２１の上側部に、封入された空気を排除するための通気孔（特許文献１参照）や通気管（特許文献２参照）を設けたものがある。
【０００６】
【特許文献１】実開平５−４７０６８号。
【特許文献２】実開平７−１５８７１号。
【０００７】
しかしながら、特許文献１と特許文献２に開示されたオーバーフロー装置には、以下のような課題があった。
【０００８】
導水部に多量の排水が流入した場合に、導水部の上側部に通気孔、もしくは通気管が設けられていると、導水部内の上部に溜まった空気は排除することはできた。しかし、排水によって導水部上部と下部の空間が完全に分離されているため、下部の空間に溜まった下部空気は排除することができなかった。このとき、導水部の上側空気を排除し、導水部の上側のみが大気圧になっても、排水方向とは逆のため、導水部の排水流路はほとんど広がらず、排水能力を十分に向上させることができていなかった。さらに、オーバーフロー孔が洗面ボールの上縁近傍に設けられた場合、導水部の上側部に通気管を設けるスペースがなく、施工性も悪かった。
【発明の開示】
【発明が解決しようとする課題】
【０００９】
本発明は上記従来の課題を解決するもので、排水が多量の場合であっても、排水能力が低下することなく、十分な排水能力を有した洗面化粧台を提供することを目的とする。
【課題を解決するための手段】
【００１０】
請求項１記載の洗面化粧台は、底部に排水口を有し側部にオーバーフロー孔を有する洗面ボールと、前記排水口に接続される排水管と、前記排水管と前記オーバーフロー孔を接続する導水部と、を有する洗面化粧台であって、前記導水部は排水流路より前記洗面ボール側に溜まる空気を排除できる空気排除部を有していることを特徴とする。なお、ここで、排水流路とは、導水部における排水の流路のことをいう。このように構成されていることにより、オーバーフロー孔全体が排水によって塞がれても、導水部の下側の空気を排除する機構により、排水流路を導水部の下側に広げることができる。その結果、導水部への良好な流れ込みが継続し、排水能力が向上する。
【００１１】
請求項２記載の洗面化粧台は、請求項１記載の洗面化粧台において、前記空気排除部が前記導水部の側面前方に設けられたことを特徴とする。なお、側面前方とは、側面において、洗面ボールに近いところをいう。このように構成されていることにより、導水部の下部の空気を排除し排水能力を高めるとともに、導水部側面のスペースを有効に活用できる。よって、洗面ボールの裏側の奥行きをあまりとれない場合でも、十分な排水能力をもった導水部を設置することができ、施工性がよい。
また、導水部の排水流路は、排水が少量の場合には導水部の前壁に沿うように形成されるが、排水が多量の場合には勢いよく流入するため、導水部の前壁との間に空間を設けながら、導水部の後壁に衝突し、排水管に向かう。よって、空気排除部を側面前方に設けると、排水量にかかわらず排水流路を避けるができ、より確実に空気を排除することができ、
都合がよい。また、空気排除部が側面にあることで、点検等の際に、簡単に確認することができ、利便性が増す。
【００１２】
請求項３記載の洗面化粧台は、請求項１乃至２いずれかに記載の洗面化粧台において、
前記空気排除部が、前記導水部に設けられた通気孔と、前記通気孔に連通するように設けられた通気管と、を有することを特徴とする。このように構成することにより、簡単な構造で確実に導水部の空気排除を行うことができる。また、導水部と空気排除部を一体で成形することもでき、製造コストが安価になる。
【００１３】
請求項４記載の洗面化粧台は、請求項３に記載の洗面化粧台において、前記通気孔は、前記導水部の上下方向に縦長な形状であることを特徴とする。ここで、導水部の上下方向とは、重力方向を意味する。このように構成されていることにより、以下に示したような効果が得られる。
まず導水部の空気を効率よく排除するには、導水部に設けられる通気孔は、排水が流れ込まない程度に大きく設けることが望ましい。ここで、通気孔を導水部の上下方向、すなわち排水方向に縦長な形状とすると、孔面積を大きくできるとともに、水滴が通気孔に入っても、後続の排水の流れにより、容易に落下する。よって、通気孔を塞ぐことなく、迅速に空気排除をすることができる。また、特に導水部の側面前方に通気孔を設けた場合、通気孔を縦長な形状とすることで、必要十分な孔面積を確保したうえで、導水部の奥行き幅は狭くすることができ、洗面化粧台の設置スペースを有効に利用することが可能となる。
【００１４】
請求項５記載の洗面化粧台は、請求項３乃至４記載の洗面化粧台において、前記通気管の大気開放側が複数に分かれていることを特徴とする。このように構成されていることにより、いずれかの通気管が、水滴やごみなどにより詰まっても、残りの管から導水部内の空気を排除することができるので、排水能力が不意に落ちることもなく、信頼性が増す。
【発明の効果】
【００１５】
本発明によれば、洗面化粧台の排水能力を高めることができ、使用者は、洗面ボールから水が溢れるのを気にすることなく、快適に洗面、洗濯、洗髪等を行うことができる。
【発明を実施するための最良の形態】
【００１６】
次に本発明の第１実施例を図１乃至図３に示す。図１は、本実施例の全体図である洗面化粧台を示す。そして、図２は、図１中の導水部１を詳細に示した斜視図であり、本発明における要部である。図３は、図２に示した導水部１中の排水室９を側方から見た断面図である。
【００１７】
図１に示した本実施例の洗面化粧台の排水構造は、図１２に示した従来の洗面化粧台と同じ構成を備えている。すなわち、洗面ボール２の内側壁に開口したオーバーフロー孔３と、洗面ボール２の底面に設けられた排水口４と、排水口４に接続された排水管５と、オーバーフロー孔３と排水管５を接続する導水部１と、を有している。なおここで、空気排除部１２は、排水室前壁９ａに開口されたことを特徴としている。
そして、洗面ボール２の排水口４に図示せぬ排水栓を着脱自在に設置しておいて、使用者の都合により排水栓で排水口４を塞いで、洗面ボール２に水を溜めて使用することができる。ここで、洗面ボール２の水面がオーバーフロー孔３の下縁を超えた場合、水はオーバーフロー孔３から導水部１を介して、排水管５に排水される。そして、排水管５を通じて、トラップ部２６へとさらに排水される。
【００１８】
図２に示した本実施例の導水部１は、排水室９と、排水管に接続される接続室１０とからなる。そして、排水室９は、図示しないオーバーフロー孔に連接される排水流入口１１と、空気排除部１２を有していて、空気排除部１２は、排水室前壁９ａに開口された通気孔１２ａと、通気孔１２ａから連接される通気管１２ｂと、からなる。以下、図３を用いて、第１実施例の効果について説明する。
【００１９】
図３は、排水室前壁９ａに設けられた通気管１２ｂにより、排水室に溜まった下部空気８ｂが排除され、排水流路７が広がっている状態を示している。このように、下部空気８ｂを排除することで、図示しないオーバーフロー孔から排水室９への流れ込みが良好になり、排水能力を高めることができる。
【００２０】
なお図２に示した本実施例では、導水部１は、排水室９と、接続室１０と、からなるが、本発明において、「排水室」とは、上流のオーバーフロー孔（図１中３）に接続する部分であり、「接続室」とは、下流の排水管（図１中５）に接続する部分をいうものとする。本発明において、排水室と接続室は別体でも一体成形でもよく、オーバーフロー孔から排水管の間で排水が通過する経路を形成できればよい。
また本実施例では、接続室１０の流路面積を排水室９とほぼ等しく形成したが、接続室１０として蛇腹ホース等を使用し、排水室９と接続してもよい。
また本実施例では、通気孔１２ａを略円形で示したが、通気孔１２ａは空気が通過できればよく、通気孔１２ａの形状は、多角形などでもよく、多孔状に形成してもよい。
また本実施例では、通気管１２ｂを略円筒で示したが、これも、通気孔１２ａと同様に、空気が通過できればよく、多角柱筒にしたり、テーパを設けてもよい。ここで、成形の際の引き抜き条件として、通気管１２ｂが大気開放側に向けてやや広がるよう形成するのが望ましい。本発明では、通気管１２ｂにテーパを設け、排水室９と一体に成形してもよい。
【００２１】
図４は、本発明の第２実施例を示し、導水部１の斜視図である。なお、導水部１以外の構成は図１に示した第１実施例と同様であり、これ以降の実施例においても導水部１以外の構成は省絡して説明をする。本実施例において、導水部１は、第１実施例と同様に、排水室９と、接続室１０と、からなる。そして、排水室９は、排水流入口１１と、空気排除部１２と、を有していて、空気排除部１２は、排水室側面前方に開口された通気孔１２ａと、通気孔１２ａから連接される通気管１２ｂと、からなる。第１実施例と比較すると、本実施例では、通気孔１２ａと通気管１２ｂが排水室側面９ｂの前方に設けられたこと、及び排水室９は、接続室１０との接合箇所に接合部１３を有していて、接合部１３の流路面積は、排水流入口１１より小さく形成されていることを特徴とする。ここで、第１実施例と同一の構成要素は、同一の符号を用いて表している。以下、図４を用いて第２実施例の効果について説明する。
【００２２】
本実施例においては、排水室側面９ｂの前方に通気孔１２ａと、通気管１２ｂと、を設けているので、第１実施例と同様に、排水室９の下部空気を排除でき、排水能力が向上する。さらに、排水室側面前方は、排水の量にかかわらず、排水流路が形成されにくいため、通気孔１２ａに水滴が入り込むこともなく、空気排除をより効率的に行うことができる。
【００２３】
また、施工性と保守性の面で以下に述べるような効果がある。
洗面ボール裏面において、導水部１を取付けた側方（図４中矢印Ａ方向）の空間に通気管１２ｂを取付けることで、洗面ボール裏面の奥行き（図４中矢印Ｂ方向）を省スペースに構成でき、洗面化粧台の設置スペースを有効に利用することができる。
そして、通気管１２ｂを側面から確認することができるので、空気排除部１２の点検がしやすくなり、通気管１２ｂを取り外しできる構造にすれば、定期的な交換も可能となる。
【００２４】
また、本実施例では、接合部１３において流路が絞られているため、排水室９の流出量が絞られ、一時的に排水室９の水位が上昇する。以下にこの効果について、図５及び図６を用いて説明する。図５及び図６は、図４の導水部１を正面から見た断面図である。
【００２５】
図５は、排水室９に排水が流入してきた直後であり、接合部１３において排水量Ｑが絞られ、排水室９内の水位Ｈが次第に上昇していく様子を示している。そして、図６では、排水室９内の水位Ｈの上昇とともに蓄えられた位置エネルギを利用して、排出量Ｑが急激に増加する様子を示している。このように、接合部１３の形状を絞ることにより、一時的に排水を溜め、位置エネルギを利用しながら排水室９からの排出量Ｑを増加させることができる。
【００２６】
そして、上記のように瞬時に排出量Ｑを増加させることにより、洗面化粧台の排水流路の下流に位置するトラップ部６（図１参照）へ流入する排水のエネルギも瞬時に増加する。その結果、排水がトラップ部６を満水状態で通過し、サイホン現象が発生し、さらに洗面化粧台の排水能力が高めることができる。このとき、図５及び図６に示した排水室９内の水位Ｈは、サイホン発生直前が最も高く、サイホン発生により一気に下降する。
【００２７】
よって、本発明において、通気孔１２ａの位置は、サイホン発生直前の水位よりも高い位置に設けられることが好ましい。通気孔１２ａを排水室９の水位が上昇しても、塞がらない位置に設けることで、効率よく空気排除が行える。
【００２８】
また図４に示した本実施例では、導水部１の上下方向の長さＬに対し、排水室９の長さＬ１が占める割合は半分以下とした。
ここで、導水部１の上下方向の長さＬは、導水部１の上流側に接続されるオーバーフロー孔（図１中３）と下流側に接続される排水管（図１中５）の位置によって決定する。このとき、結果として、導水部１がオーバーフロー孔（図１中３）と排水管（図１中５）を接続できればよく、排水室９と接続室１０が、導水部１を占める割合は、本実施例に図示したとおりに限られない。
【００２９】
また、本実施例では、通気管１２ｂを導水部１の上下方向に垂直に延設したが、図７の断面図に示したように、さらに排水室９の側方（図７中矢印Ｃ方向）の領域に延設してもよい。このように形成すると、通気管１２ｂにごみ等が入り込むのを防ぎ、空気排除を確実に行うことができる。
【００３０】
図８は、本発明の第３実施例を示す図であり、導水部１の斜視図である。第２実施例と同様に、導水部１は、排水室９と、接続室１０と、からなる。そして排水室９は、排水流入口１１と、空気排除部１２と、その流路面積が排水流入口１１の流路面積より絞られている接合部１３と、を有していて、空気排除部１２は、排水室側面９ｂ前方に開口された通気孔１２ａと、通気孔１２ａから連接される通気管１２ｂと、からなる。さらに、第２実施例と比較すると、本実施例では、通気孔１２ａが縦長な略楕円形状であること、導水部１の長さＬのうち、排水室の長さＬ１が占める割合を多く設けたことを特徴とする。また、第２実施例と同一の構成要素は、同一の符号を用いて表している。第３実施例では、第１及び第２実施例に記載した効果に加え、次のような効果がある。以下図８を用いて、第３実施例について説明する。  
【００３１】
まず、通気孔１２ａを縦長な形状とすることで、排水室９の奥行き（図８中矢印Ｄ方向）を広くすることなく、通気孔１２ａの面積を十分に大きくすることができる。通気孔１２ａの面積を大きくすると、効率よく迅速に空気排除を行えるとともに、排水が通気孔１２ａに入り込んだときに、水膜をはらずに、確実に空気排除を行える。
【００３２】
また、排水室９の長さＬ１を長く設けたことで、排水流路を絞った接合部１３を下流に接続される排水管（図１中５）に近づけることができる。よって、排水室９内の水位は、排水管（図１中５）により近いところで上昇していくことになる。また、第２実施例で述べたように、排水は位置エネルギを利用して流出量を増加させるが、このとき排水はよりスムーズに下流へと流出することができ、円滑な排水につながる。さらに、下流への円滑な流出は、トラップ部（図１中６）への円滑な流入につながり、サイホン現象を発生させる。よって本実施例では、よりすばやく効率的にサイホンを発生させるので、排水能力をさらに高めることができる。
【００３３】
図９は、本実施例の変形例を示す排水室９の正面図である。図９のように、排水室９を接合部１３に向けて、次第に収縮するような形状にすると、少量の排水でも排水室９の水位が速やかに上昇するため、より迅速に位置エネルギを蓄えて、排水室９からの排水量を増加させることができる。ここで、排水室９に斜面１４を設けると、斜面１４を利用して排水が円滑に接合部１３に集まるため、さらに速やかに水位を上昇させることができ、効率がよい。
【００３４】
図１０は、本発明の第４実施例を示す図であり、導水部１の斜視図である。第３実施例と同様に、導水部１は、排水室９と、接続室１０と、からなる。そして排水室９は、排水流入口１１と、空気排除部１２と、その流路面積が排水流入口１１の流路面積より絞られている接合部１３と、を有していて、空気排除部１２は、排水室側面９ｂ前方に開口された通気孔１２ａと、通気孔１２ａから連接される通気管１２ｂと、からなる。また、導水部１の長さＬのうち、排水室９の長さＬ１の割合が多くなるように形成されている。さらに、第３実施例と比較すると、本実施例では、通気管１２ｂは、大気開放側が複数に分かれ、複数の開放端１５（１５ａ・１５ｂ・１５ｃ）を有していることを特徴とする。また、第３実施例と同一の構成要素は、同一の符号を用いて表している。第４実施例では、第１乃至第３実施例に記載の効果に加え、次のような効果が得られる。
【００３５】
本実施例では、開放端１５のいずれかが水滴やごみなどで詰まっても、空気を排除する経路が複数あることにより、排水室９内の空気を確実に排除することができる。よって、排水能力を保つうえで、信頼性が増すという効果が得られる。
【００３６】
ここで、導水部１に通気管１２ｂを設けることによる空気排除効果について、実験結果をもとに説明する。図１１は、排水流出中における従来の導水部の内圧変化と、本発名における導水部の内圧変化を比較したグラフである。ここで、従来の導水部は、排水が導水部内に流入してきても、導水部下部の空気を排除することができないため、時間とともに導水部内が加圧されていたことが分かる。このとき、導水部への流れ込みが悪化し、排水能力は低下していた。一方、本発名の導水部は、排水が導水部に流入してくると、導水部下部の空気を排除することで、導水部内を大気圧と平衡に保っていたことが分かる。このとき、導水部への良好な流れ込みが続いていた。さらに、本発明における導水部を用いると、下流に設けられたトラップへも円滑に排水が流れ込み、サイホンを効率的に発生させることが可能となる。図１１中で、本発明における導水部では、６０秒過ぎに導水部の内圧が大きく負圧になっていたが、ここは、サイホンが発生し、洗面ボールからオーバーフロー孔を通じ、排水を多量に導水部内へ引き込んでいる状態であった。
【００３７】
以上、具体例を参照しつつ本発明の実施の形態について説明した。しかし、本発明は、これら具体例に限定されるものではない。
すなわち、本発明のいずれかの要素について当業者が設計変更を加えたものであっても、本発明の要旨を備えたものであれば、本発明の範囲に包含される。
【図面の簡単な説明】
【００３８】
【図１】第１実施例の全体図を示す洗面化粧台。
【図２】第１実施例の導水部を示す斜視図。
【図３】第１実施例の空気柱排除効果を示す断面図。
【図４】第２実施例の導水部を示す斜視図。
【図５】第２実施例の排水室における水溜めの効果を示す断面図。
【図６】第２実施例の排水室における水溜めの効果を示す断面図。
【図７】通気管の形状の応用例を示す断面図。
【図８】第３実施例の導水部示す斜視図。
【図９】第３実施例の導水部の応用例を示す斜視図。
【図１０】第４実施例の導水部を示す斜視図。
【図１１】本発明の空気排除効果を示したグラフ。
【図１２】従来の洗面化粧台を示す。
【図１３】従来の導水部における排水流路を示した断面図。（排水が多量の場合。）
【符号の説明】
【００３９】
１      導水部      
２      洗面ボール        
３      オーバーフロー孔   
４      排水口            
５      排水管            
６      トラップ部        
７      排水流路          
８      空気
８ａ    上部空気
８ｂ    下部空気          
９      排水室        
９ａ    排水室前壁
９ｂ    排水室側面
１０    接続室
１１    排水流入口
１２    空気排除部    
１２ａ  通気孔
１２ｂ  通気管        
１３    接合部            
１４    斜面            
１５    開放端
１５ａ  開放端１
１５ｂ  開放端２
１５ｃ  開放端３
２１    導水部      
２２    洗面ボール        
２３    オーバーフロー孔   
２４    排水口            
２５    排水管            
２６    トラップ部        
２７    排水流路          
２８    空気
２８ａ  上部空気
２８ｂ  下部空気
【図１】
2005282103.tif 000003
【図２】
2005282103.tif 000004
【図３】
2005282103.tif 000005
【図４】
2005282103.tif 000006
【図５】
2005282103.tif 000007
【図６】
2005282103.tif 000008
【図７】
2005282103.tif 000009
【図８】
2005282103.tif 000010
【図９】
2005282103.tif 000011
【図１０】
2005282103.tif 000012
【図１１】
2005282103.tif 000013
【図１２】
2005282103.tif 000014
【図１３】
2005282103.tif 000015